(57)【要約】電気化学的水処理装置は、少なくとも１つの壁によって形成され、実質的に処理チャンバの長さにわたって側面に沿って形成された開口部を有する処理チャンバと、開口部に取り付けられた取付板とを含む。一組の陰極と陽極が取付板に取り付けられ、チャンバの内側に配置され、陽極の各々は、それぞれの陽極の２つの側面の各々に配置された少なくとも１つの陰極を有する。少なくとも２つの陽極バスバーおよび２つの陰極バスバーが設けられ、各々のバスバーは電源に接続可能であり、電極のそれぞれの端部付近でそれぞれの電極に接続されている。入口アダプタは、処理チャンバ入口端部に接続された第１の端部でより小さい断面積を有し、被処理水の水源に接続された反対側の端部でより大きい断面積を有する。
2019526443.tif 000002
【特許請求の範囲】
【請求項１】
電源に電気的に接続し、かつ被処理水の水源に接続するための電気化学的水処理装置であって、処理された水はその後目的地へ流れることができ、前記装置は、
少なくとも１つの壁によって形成され、ある長さ、入口端部および出口端部、および少なくとも１つの側面を有する処理チャンバであって、実質的に前記処理チャンバの長さにわたって前記側面に沿って形成された開口部を有する処理チャンバと、
前記チャンバの前記側面を密閉し、被処理水が開口部から逃げるのを防ぐように前記開口部を覆う取付板と、
各々が２つの端部を有し、前記取付板に取り付けられ、前記チャンバの内側に配置された複数の陰極と、
各々が２つの側面と２つの端部を有し、前記取付板に取り付けられ、前記チャンバの内側に配置された複数の陽極であって、前記陽極の各々は、それぞれの前記陽極の２つの側面の各々の上に配置された少なくとも１つの陰極を有する複数の陽極と、
少なくとも２つの陽極バスバーであって、各々の陽極バスバーは前記電源に接続可能であり、他の陽極バスバーが接続されている場所とは反対側の前記陽極のそれぞれの端部付近で前記陽極に接続されている少なくとも２つの陽極バスバーと、
少なくとも２つの陰極バスバーであって、各々の陰極バスバーは前記電源に接続可能であり、他の陰極バスバーが接続されている場所とは反対側の前記陰極のそれぞれの端部付近で前記陰極に接続されている少なくとも２つの陰極バスバーと、
前記処理チャンバ入口端部を被処理水の前記水源に接続するための第１の端部と第２の端部とを有する入口アダプタであって、前記処理チャンバ入口端部に接続された前記第１の端部はより小さい断面積を有し、被処理水の前記水源に接続された前記反対側の端部はより大きい断面積を有する入口アダプタと、
前記処理チャンバ出口端部を前記目的地に接続するための第１の端部と第２の端部とを有する出口アダプタであって、前記処理チャンバ出口端部に接続された前記第１の端部はより小さい断面積を有し、前記目的地に接続された前記第２の端部はより大きい断面積を有する出口アダプタとを備える電気化学的水処理装置。
【請求項２】
前記陽極の各々は、実質的に前記処理チャンバの長さにわたって延びている、請求項１に記載の処理装置。
【請求項３】
前記陰極の各々は、実質的に前記処理チャンバの長さにわたって延びている、請求項１に記載の処理装置。
【請求項４】
前記入口アダプタを前記水源に接続するための入口端コネクタと、前記出口アダプタを前記目的地に接続するための出口端コネクタとをさらに備える、請求項１に記載の処理装置。
【請求項５】
前記処理チャンバは、前記アダプタとは異なる断面形状を有する、請求項１に記載の処理装置。
【請求項６】
前記処理チャンバは正方形の断面を有し、前記アダプタは円形の断面を有する、請求項５に記載の処理装置。
【請求項７】
電力の供給源に接続するための電気化学的水処理装置であって、
少なくとも１つの壁によって形成され、ある長さ、入口端部および出口端部、および少なくとも１つの側面を有する処理チャンバであって、実質的に前記処理チャンバの長さにわたって前記側面に沿って形成された開口部を有する処理チャンバと、
前記開口部に取り付けられている取付板と、
各々が２つの端部を有し、前記取付板に取り付けられ、前記チャンバの内側に配置された、電源に接続可能な複数の陰極と、
前記取付板に取り付けられ、前記チャンバの内側に配置され、２つの側面と２つの端部とを有する複数の陽極であって、前記陽極の各々は、それぞれの前記陽極の前記２つの側面の各々の上に配置され、前記電源に接続可能な少なくとも１つの陰極を有する複数の陽極と、
前記処理チャンバ入口端部を被処理水の水源に接続するための第１の端部と第２の端部とを有する入口アダプタであって、前記処理チャンバ入口端部に接続された前記第１の端部はより小さい断面積を有し、前記水源に接続された前記反対側の端部はより大きい断面積を有する入口アダプタと、
前記処理チャンバ出口端部を目的地に接続するための第１の端部と第２の端部とを有する出口アダプタであって、前記処理チャンバ入口端部に接続された前記第１の端部はより小さい断面積を有し、前記目的地に接続された前記第２の端部はより大きい断面積を有する出口アダプタとを備える電気化学的水処理装置。
【請求項８】
少なくとも２つの陽極バスバーであって、各々の陽極バスバーは前記電源に接続可能であり、他の陽極バスバーが接続されている場所とは反対側の前記陽極のそれぞれの端部付近で前記陽極に接続されている少なくとも２つの陽極バスバーと、
少なくとも２つの陰極バスバーであって、各々の陰極バスバーは前記電源に接続可能であり、他の陰極バスバーが接続されている場所とは反対側の前記陰極のそれぞれの端部付近で前記陰極に接続されている少なくとも２つの陰極バスバーとをさらに含む、請求項７に記載の水処理装置。
【請求項９】
前記陽極の各々は、実質的に前記処理チャンバの長さにわたって延びている、請求項７に記載の処理装置。
【請求項１０】
前記陰極の各々は、実質的に前記処理チャンバの長さにわたって延びている、請求項７に記載の処理装置。
【請求項１１】
前記入口アダプタを被処理水の水源に接続するための入口端コネクタと、前記出口アダプタを被処理水の水源に接続するための出口端コネクタとをさらに備える、請求項７に記載の処理装置。
【請求項１２】
前記処理チャンバは、前記アダプタとは異なる断面形状を有する、請求項７に記載の処理装置。
【請求項１３】
前記処理チャンバは正方形の断面を有し、前記アダプタは円形の断面を有する、請求項１２に記載の処理装置。
【発明の詳細な説明】
【技術分野】
【０００１】
本発明は水処理の分野に関し、特に電気化学的水処理のための構成に関するものである。
【背景技術】
【０００２】
飲用水および廃水の両方とも、微生物および他の不純物を含有する。飲料水から細菌および他の不純物を破壊し、水を人間および動物の使用に適したレベルまで消毒するために、先行技術において様々な水処理システムが提供されている。他の水処理システムは、感染性成分を人間または動物の消費には適さないが様々な水域への排出には満足できるレベルまで減少させることによって廃水を処理する。
【０００３】
さらに他の水処理システムは、汚染レベルをある特定の政府基準まで下げるために、飲料水用途および廃水用途の両方に適用され得る。歴史的に、消毒のための塩素処理の使用は普及している。近年、紫外線照射またはオゾンの導入を利用するシステムも商品化されている。
【０００４】
電気化学的水処理の分野における先駆的発明、すなわち、特許文献１、特許文献２、特許文献３、特許文献４、および特許文献５は、本発明の出願人に対して公表されてきており、それらの開示は、本明細書中にそれら全体が参照として援用される。
【先行技術文献】
【特許文献】
【０００５】
【特許文献１】米国特許第６，７８０，３０６号明細書
【特許文献２】米国特許第７，０３３，４８１号明細書
【特許文献３】米国特許第７，４９４，５８２号明細書
【特許文献４】米国特許第７，６０４，７２８号明細書
【特許文献５】米国特許第８，９６１，７５１号明細書
【発明の概要】
【発明が解決しようとする課題】
【０００６】
本発明は、上記の装置に対する改良、またはそれによって生じるかまたはそれによって解決されないいくつかの問題に対する解決策に関する。
【課題を解決するための手段】
【０００７】
電気化学的水殺菌は、水を処理するための非常に効率的な方法である。このプロセスは被処理水に化学的化合物を添加しなくても機能するが、種々の化学物質の殺菌作用に基づいている。活性コーティングとして白金族金属またはそれらの酸化物を有する電極は、一般的にこの処理に最も適している。
【０００８】
本発明は、現在の技術に対していくつかの利点を提供する。本発明は、セルフクリーニングを促進し、これらの設計に典型的に見られるスケーリング特性を減少させるために高い流速を提供する。簡単に交換できるように、個別のリアクタパックが提供される。電気的に絶縁された電極パックは、電力使用量を最適化する直列または並列接続を提供する。構成可能な設計は、あらゆる流れおよび投薬の条件を満たすことができる。ユニットは、個々の設置のニーズを満たすために直列または並列に接続することができる。
【０００９】
本発明は、目的地への途中で、電源に電気的に接続し、被処理水の水源に接続するための電気化学的水処理装置を提供する。装置は、少なくとも１つの壁によって形成され、ある長さ、入口端部および出口端部、ならびに少なくとも１つの側面を有する処理チャンバであって、処理チャンバの実質的長さにわたって側面に沿って形成された開口部を有する処理チャンバを含む。取付板は、チャンバの側面を密閉し、被処理水が開口部から逃げるのを防ぐように開口部を覆う。複数の陰極は、各々が２つの端部を有し、取付板に取り付けられ、チャンバの内側に配置される。複数の陽極は、取付板に取り付けられ、チャンバの内側に配置され、２つの側面と２つの端部を有し、陽極の各々は、それぞれの陽極の２つの側面の各々の上に配置された少なくとも１つの陰極を有する。少なくとも２つの陽極バスバーが提供され、各々の陽極バスバーは、電源に接続可能であり、他の陽極バスバーが接続されている場所とは反対側の陽極のそれぞれの端部付近で陽極に接続されている。少なくとも２つの陰極バスバーもまた提供され、各々の陰極バスバーは、電源に接続可能であり、他の陰極バスバーが接続されている場所とは反対側の陰極のそれぞれの端部付近で陰極に接続されている。入口アダプタは、処理チャンバ入口端部を被処理水の水源に接続するための第１の端部と第２の端部とを有し、処理チャンバ入口端部に接続された第１の端部はより小さい断面積を有し、被処理水の水源に接続された反対側の端部はより大きい断面積を有する。出口アダプタは、処理チャンバ出口端部を目的地に接続するための第１の端部と第２の端部とを有し、処理チャンバ出口端部に接続された第１の端部はより小さい断面積を有し、目的地に接続された第２の端部はより大きい断面積を有する。
【００１０】
本発明の他の目的および利点は以下において明らかになるであろう。
【図面の簡単な説明】
【００１１】
【図１】本発明の一実施形態に係る電気化学的水処理装置の等角図である。
【図２】図１に示す電気化学的水処理装置の上面図である。
【図３】図２に示す電気化学的水処理装置の線３―３に沿って取られた断面図である。
【図４】図２に示す電気化学的水処理装置の線４―４に沿って取られた断面図である。
【図５】図１に示す電気化学的水処理装置の等角図であり、カバーを外して下の部品を示している。
【図６】図５に示す電気化学的水処理装置の等角図であるが、電極を処理チャンバの内側で見えるようにし、バスバーと電極との間の接続部を見えるようにするために、端部コネクタを取り除き、電極取付板を透明にしている。
【図７】本発明に係る電気化学的水処理装置の特定の用途の等角図である。
【発明を実施するための形態】
【００１２】
ここで図１および図２を参照すると、本発明の一実施形態に従って構成された水処理装置１０が示されている。図示のように、装置１０は入口端部コネクタ１２と出口端部コネクタ１４とを含み、これらは構造的に同一でもよい。装置１０を任意の適切な被処理水の水源に接続するための入口端部コネクタ１２が設けられ、装置１０を現在処理されている水に対する任意の適切な目的地に接続するための出口端部１４が設けられる。例としては、水の処理と消毒が必要なあらゆる用途、外航船の海水入口から工場水の近くの水路への排水まで、井戸または飲料水用の他の水源からの単純な水輸送まであらゆるものが含まれる。
【００１３】
本発明によれば、端部コネクタ１２および１４は、各々がそれぞれ入口アダプタ１８および出口アダプタ１８によって処理チャンバ１６の反対側の端部に接続されている。端部コネクタ１２および１４、および処理チャンバ１６は、任意の適切な形状とすることができるが、図示の実施形態では、端部コネクタは円形の断面を有し、処理チャンバは正方形の断面を有する。本発明によれば、端部コネクタ１２および１４の断面積は処理チャンバ１６の断面積よりも大きいので、アダプタ１８は漏斗形である。一例では、端部コネクタ１２および１４は直径６インチの円形断面を有し、一方、処理チャンバ１６は一辺が４インチの断面を有する正方形の管として形成されている。
【００１４】
図２に示すように、各々の漏斗形アダプタ１８は、より小さい端部１８ａとより大きい端部１８ｂとを有する。そのような「より大きい」および「より小さい」という用語は、断面積を指す。処理チャンバ１６の各々の端部には、各々の漏斗形アダプタ１８のより小さい端部１８ａが接続されている。各々の漏斗形アダプタ１８のより大きい端部１８ｂは、端部コネクタ１２および１４のそれぞれ１つに接続されている。
【００１５】
いくつかの実施形態では、処理チャンバ１６は、第４の側部に開口部１６ａを有する平らな壁によって３つの側部に形成されるが、開口部１６ａを有する単一の湾曲した壁によって形成することもできる。図示の実施形態では、この開口部１６ａは実質的に処理チャンバ１６の全長にわたって延びている。第４の壁は、電極取付板２０によって形成されるか、あるいは開口部１６ａが覆われるかまたは閉じられるとも等しく言うことができる。処理される水が電極取付板２０の周囲に逃げないことが重要であり、そのため取付板は漏れを避けるために開口部１６ａに対して封止される。図３、図４、および図５に示すように、絶縁体２２が処理チャンバ１６の外側で取付板２０に取り付けられている。次いで、取付板２０とは反対側の絶縁体２２の面には多数のバスバー２４が取り付けられている。ここで説明するように、陽極バスバー２４ａと陰極バスバー２４ｂがある。
【００１６】
取付板２０の反対側において、組み立て時には、処理チャンバ１６の内側に配置されるように開口部１６ａを通って突出して、多数の電極２６、本質的には導電性プレートが取り付けられる。図４および図６に最も良く示されているように、電極２６は処理チャンバの全深さに達してもよく、処理チャンバの長さと同程度に延びてもよい。電極２６のいくつかは陽極２６ａであり、いくつかは陰極２６ｂである。陽極２６ａと陰極２６ｂは交互に配置されているので、各々の陽極２６ａはその両側に陰極２６ｂが隣接しており、ほとんどの場合、各々の陰極２６ｂはその両側に陽極２６ａが隣接している。図示の実施形態では、交互陰極２６ｂは交互陽極２６ａよりも１つ多いので、両側の最も外側の電極は陰極である。従って、全ての陽極２６ａの両側は陰極２６ｂによって囲まれており、従って水の処理中に使用される。異なる数の陽極および陰極を使用することができるが、図示の実施形態では、５つの陰極２６ｂおよび４つの陽極２６ａがある。
【００１７】
図示の実施形態では、上で紹介したように、また図６に最も良く示されているように。バスバー２４は、コネクタピン２５によって、陽極２６ａおよび陰極２６ｂのそれぞれ１つに接続されている。実際、コネクタピン２５は、二重機能部品である。それらは取付板２０に対して電極２６の構造的取付けを提供し、同時に必要な電気的接続を提供する。図６に最もよく示されるように、図６に示すように、陽極バスバー２４ａは、陽極接続ピン２５ａによって陽極の一端近くで陽極２６ａに接続され、陽極バスバー２４ａ?１は、追加の陽極接続ピン２５ａによって陽極の反対側の端部近くで陽極２６ａに接続されている。少なくとも、陽極バスバー２４ａおよび２４ａ?１は、陽極の長さの大部分によって互いに分離している。同様に、陰極バスバー２４ｂは、陰極コネクタピン２５ｂによって一端近くの陰極２６ｂに接続され、陰極バスバー２４ｂ?１は、反対側の端部近くで、ここでも追加の陰極コネクタピン２５ｂによって陰極２６ｂに接続されている。ここでもまた、少なくとも陰極バスバー２４ｂおよび２４ｂ?１は、陰極の長さの大部分によって互いに分離されている。各々の陽極に接続された複数の陽極バスバーと各々の陰極に接続された複数の陰極バスバーとを有する目的は２重になっている。１つの目的は電気的なものである。システムを通過する電流の量が、ピンのサイズが増大しない限り、単一のコネクタピン２５では電流を運ぶのに十分ではないレベルにある用途がある。しかしながら、より大きな電流を流すのに必要な程度までピンサイズを増大させると、より大きなプレートギャップが効率を低下させるので、電極分離が最適より大きくなる可能性がある。複数のコネクタピン２５は、単一のピンよりも複数のより小さなピンがより大きな電流を流すことができるアセンブリ１０を可能にし、それによって依然として比較的小さな電極分離が可能になる。他の目的は構造的である。各々の電極２６は、中央にあるか、または一端または他端に近いかに関わらず、単一のコネクタピン２５を用いて取付板２０に取り付けられている場合、電極が撓むか移動する可能性が高くなり、その結果、電極分離を引き起こす。各々の近い方の端部と互いにほぼ対向している各々の電極２６に対する２つのバスバー２４と２つのコネクタピン２５によって、結果として、電流容量が増加すると共に、構造剛性、健全性、および安定性が向上し、したがって処理容量が増加する。
【００１８】
使用時には、電源（図示せず）は、装置１０に電力を供給するように、陽極バスバー２４ａおよび２４ａ?１ならびに陰極バスバー２４ｂおよび２４ｂ?１に接続されている。いくつかの実施形態では、保護シールドまたはカバー２８がバスバー２４を覆って付けられる。
【００１９】
端部コネクタ１２、１４、および処理チャンバ１６、ならびに漏斗状のアダプタ１８の異なるサイズの目的は、ベルヌーイ効果によって、処理チャンバを通って移動する流体を加速して、より速い速度で移動させることである。すなわち、入口端部コネクタ１２に通じる容器および出口端部コネクタ１４から離れる方向に延びる容器は、処理チャンバ１６よりも断面積が大きい。この効果は、天然の水源を海水として、より高い流速で電極上のスケーリングを減少させるように処理するときに特に有益であり得る。
【００２０】
いくつかの実施形態では、電極２６、バスバー２４、絶縁体２２、および取付板２０は、ユニットとして組み立てられ、異なる処理オプションまたは異なる材料の電極に対して迅速な切り替えを可能にするために、または洗浄のために電極を容易に取り外すために、容易に取り外して処理チャンバ１６内に交換することができる。例えば、いくつかの実施形態では、陽極はチタン基板から形成され、次いで白金もしくは白金族触媒、またはＭＭＯ（混合金属酸化物）で被覆またはメッキされる。ＭＭＯコーティング中の混合物は、主にイリジウムおよびルテニウムを含む。当業者に知られているように、これら２つの金属の様々な比率を使用することができる。陰極は、一般的にハステロイでコーティングなしで形成される。機能的には、水処理装置１０は、すでに上記において参照により援用されている特許文献１および特許文献２に記載されているのと同じ一般的な原理の水の電気化学的処理で作動する。
【００２１】
本発明のモジュール式の性質の応用の一例が図７に示されている。それらは、任意の適切なサイズで作ることができるが、図７に示される例では、各々の装置１０は全長４フィートであり、各々が長さ３フィートの処理チャンバを有する。２つの装置１０は直列に接続され、空間要件を最小化するように、Ｕ字型コネクタ３０によって接続されている。この技術では、投与量は流速当たりの電流の単位、つまり毎分ガロン当たりのアンペアで表される。それで、図７に示されるアセンブリによって提供され得る投与量の一例は、２の投与量、すなわち毎分ガロン当たり２アンペア（Ａ／ＧＰＭ）となるだろう。一般的に、投与量は、典型的には０．５〜２５Ａ／ＧＰＭの範囲内、より好ましくは０．５〜２Ａ／ＧＰＭの範囲内となるだろう。特定の用途では、２つ以上の装置１０を並列に接続することもできる。
【００２２】
本明細書では最も実用的で好ましい実施形態であると考えられるものとして本発明を説明してきたが、本発明は上述の特定の実施形態に限定されることを意図していないことを理解されたい。むしろ、本発明の趣旨または意図から逸脱することなく、本発明の当業者によって変更がなされてもよく、したがって本発明は、添付の特許請求の範囲の主題および本明細書の本発明の説明に対するすべての合理的な均等物を含むと解釈されるべきである。
【図１】
2019526443.tif 000003
【図２】
2019526443.tif 000004
【図３】
2019526443.tif 000005
【図４】
2019526443.tif 000006
【図５】
2019526443.tif 000007
【図６】
2019526443.tif 000008
【図７】
2019526443.tif 000009
【国際調査報告】
2019526443.tif 000010